(57)【要約】【課題】  ユーザの手を煩わすことなくユーザの余裕時間を計算し、当該余裕時間に応じた情報をユーザに提示する情報提供システムを提供する。【解決手段】  ユーザは電車に乗るため、携帯電話２００を自動改札機３００にかざす。ＩＣチップ２１０はチケットデータが記憶領域に存在する場合にはこれを読み出し、チケットデータが存在しない場合にはスケジュールデータ、もしくは定期券データを読み出し、自動改札機３００を経由してコンピュータ１００へ送信する。コンピュータ１００は携帯電話２００からデータを受信し、ユーザの余裕時間を計算し、当該余裕時間内に受けられるサービスの一覧を記憶部１１０をアクセスして読み出し、ネットワークを経由して携帯電話２００へ送信する。携帯電話２００はネットワーク経由でコンピュータ１００からデータを受信し、これを表示する。【選択図】  図１
2006092113.tif 000002
【特許請求の範囲】
【請求項１】
所定の場所に設置され、処理開始要求信号を発信する発信装置と、
ユーザの予定情報を１個以上格納する記憶手段と、前記処理開始要求信号を受信し、前記記憶手段中に前記予定情報が存在するか否かを所定の優先順位に従ってチェックし、最初に見つかった予定情報を読み出すデータ選択手段と、前記データ選択手段が読み出した予定情報を送信する送信手段と、前記ユーザに提供されるサービスに関するデータであるサービス一覧データを受信して表示部に表示する表示処理手段とを具備する携帯端末と、
サービスを受けるために必要な時間の情報を含むサービステーブルを格納する記憶部と、前記予定情報を受信し、現在時刻と、前記予定情報とからユーザの余裕時間を計算して出力する時間計算手段と、前記余裕時間を入力し、前記サービステーブルをアクセスして前記余裕時間内に利用可能なサービスの情報を選んで読み出し、サービス一覧データを生成して送信するルート演算手段とを具備するコンピュータと
を具備することを特徴とする情報提供システム。
【請求項２】
前記発信装置は自動改札機に備えられ、
前記携帯端末は集積回路チップを備えた携帯電話機であり、
前記自動改札機は、
前記携帯端末から予定情報を受信した時に前記予定情報を前記コンピュータへ送信する予定情報送信手段を具備する
ことを特徴とする請求項１に記載の情報提供システム。
【請求項３】
前記携帯端末は、出発時刻を伴うチケットの情報であるチケットデータを格納する一時記憶手段を更に備え、
前記データ選択手段は、前記チケットデータを前記予定情報と共にチェックする
ことを特徴とする請求項１または請求項２に記載の情報提供システム。
【請求項４】
前記チケットデータは前記優先順位の中で最上位にあることを特徴とする請求項３に記載の情報提供システム。
【請求項５】
前記予定情報は前記ユーザのスケジュールに関する情報であるスケジュールデータを含むことを特徴とする請求項１〜請求項４のいずれかに記載の情報提供システム。
【請求項６】
前記ルート演算手段は、電子メールによって前記サービス一覧データを送信することを特徴とする請求項１〜請求項５のいずれかに記載の情報提供システム。
【請求項７】
携帯端末のコンピュータに、
ユーザに提供されるサービスに関するデータであるサービス一覧データの送信要求を前記サービス一覧データの提供元に送信する処理と、
前記サービス一覧データを前記提供元から受信する処理と、
受信した前記サービス一覧データを表示する処理と、
を実行させるためのプログラム。
【発明の詳細な説明】
【技術分野】
【０００１】
本発明は、携帯電話等の携帯端末のユーザに情報提供を行う情報提供システムに関する。
【背景技術】
【０００２】
近年、多くの人々がインターネットの接続機能を備えた携帯電話等の携帯端末を使用してインターネット上のサイトをアクセスし、種々の情報提供サービスを受けている。こうしたサービスの中には特許文献１に示すように、携帯端末のユーザの空き時間に関する情報を得て、この空き時間にユーザが利用することができる近隣の店舗などに関する情報を選んで提供するものがある。しかし、特許文献１に記載の技術では、サービスの提供を受ける度毎にユーザが自身の空き時間を入力する必要があり、ユーザが煩わしさを感じることがある問題点がある。
【特許文献１】特開２００４−５５０２号公報
【発明の開示】
【発明が解決しようとする課題】
【０００３】
本発明は上記の事情を考慮してなされたもので、その目的は、ユーザの手を煩わすことなくユーザの空き時間を計算し、当該空き時間に応じた情報をユーザに提示する情報提供システムを提供することである。
【課題を解決するための手段】
【０００４】
この発明は前述の課題を解決するためになされたもので、請求項１の発明は、所定の場所に設置され、処理開始要求信号を発信する発信装置と、ユーザの予定情報を１個以上格納する記憶手段と、前記処理開始要求信号を受信し、前記記憶手段中に前記予定情報が存在するか否かを所定の優先順位に従ってチェックし、最初に見つかった予定情報を読み出すデータ選択手段と、前記データ選択手段が読み出した予定情報を送信する送信手段と、前記ユーザに提供されるサービスに関するデータであるサービス一覧データを受信して表示部に表示する表示処理手段とを具備する携帯端末と、サービスを受けるために必要な時間の情報を含むサービステーブルを格納する記憶部と、前記予定情報を受信し、現在時刻と、前記予定情報とからユーザの余裕時間を計算して出力する時間計算手段と、前記余裕時間を入力し、前記サービステーブルをアクセスして前記余裕時間内に利用可能なサービスの情報を選んで読み出し、サービス一覧データを生成して送信するルート演算手段とを具備するコンピュータとを具備することを特徴とする情報提供システムである。
【０００５】
また、請求項２の発明は、請求項１に記載の情報提供システムであって、前記発信装置は自動改札機に備えられ、前記携帯端末は集積回路チップを備えた携帯電話機であり、前記自動改札機は、前記携帯端末から予定情報を受信した時に前記予定情報を前記コンピュータへ送信する予定情報送信手段を具備することを特徴とするものである。
【０００６】
また、請求項３の発明は、請求項１または請求項２に記載の情報提供システムであって、前記携帯端末は、出発時刻を伴うチケットの情報であるチケットデータを格納する一時記憶手段を更に備え、前記データ選択手段は、前記チケットデータを前記予定情報と共にチェックすることを特徴とするものである。
【０００７】
また、請求項４の発明は、請求項３に記載の情報提供システムであって、前記チケットデータは前記優先順位の中で最上位にあることを特徴とするものである。
【０００８】
また、請求項５の発明は、請求項１〜請求項４のいずれかに記載の情報提供システムであって、前記予定情報は前記ユーザのスケジュールに関する情報であるスケジュールデータを含むことを特徴とするものである。
【０００９】
また、請求項６の発明は、請求項１〜請求項５のいずれかに記載の情報提供システムであって、前記ルート演算手段は、電子メールによって前記サービス一覧データを送信することを特徴とするものである。
【００１０】
また、請求項７の発明は、携帯端末のコンピュータに、ユーザに提供されるサービスに関するデータであるサービス一覧データの送信要求を前記サービス一覧データの提供元に送信する処理と、前記サービス一覧データを前記提供元から受信する処理と、受信した前記サービス一覧データを表示する処理と、を実行させるためのプログラムである。
【発明の効果】
【００１１】
請求項１、または請求項７の発明によれば、ユーザの空き時間を計算し、当該空き時間に応じた情報であるサービス一覧データを携帯端末に表示してユーザに提示することができるため、ユーザにわずらわしさを感じさせることなく、余裕時間内に受けることができるサービスを知らせることができる効果がある。
【００１２】
また、請求項２の発明によれば、既存の自動改札機や集積回路チップを利用するため、汎用性を高めることができる効果がある。また、請求項３の発明によれば、チケットに記載された乗車時間等の予定は変更されることがほとんどない情報であり、このような予定情報を参照することで一層利用される可能性の高いサービスの一覧をユーザに提供することができる効果がある。また、請求項４の発明によれば、チケットの情報に対してより高い優先順位を与えることにより、更に利用される可能性の高いサービスの一覧をユーザに提供することができる効果がある。
【００１３】
また、請求項５の発明によれば、ユーザのスケジュールにあわせてサービスの一覧を選択することにより、一層利用される可能性の高いサービスの一覧をユーザに提供することができる効果がある。また、請求項６の発明によれば、電子メールによってユーザにサービスの一覧を提示することにより、ユーザが自身の都合の良い時に当該サービスの一覧を参照できる効果がある。
【発明を実施するための最良の形態】
【００１４】
以下、図面を参照し、この発明の実施の形態について説明する。図１と、図２とは本実施の形態におけるシステムのハードウェア構成を表している。図１のコンピュータ１００は携帯電話２００のユーザに情報提供を行う。また、記憶部１１０はこのコンピュータ１００がユーザに提供する情報を格納する。
【００１５】
携帯電話２００は情報提供を受けるユーザの所有する携帯電話であり、記憶領域中にユーザの予定に関するデータであるスケジュールデータを格納する。また、携帯電話２００はＩＣ（Ｉｎｔｅｇｒａｔｅｄ  Ｃｉｒｃｕｉｔ、集積回路）チップ２１０を備える。
【００１６】
自動改札機３００は鉄道の駅に備えられた自動改札機である。また、ＩＣチップ２１０は自動改札機３００と電気的に接触又は電波的に非接触にて通信及び電源の供給を受ける。このようなＩＣチップには例えば、従来から鉄道用ＩＣカードとして電車の乗り降りや駅の売店等での買い物の際に使用される「スイカ（登録商標）」等があり、ＩＣチップ２１０も「スイカ（登録商標）」等と同様にチケットの情報や定期券の情報、あるいは、買い物の履歴の情報等を記録する。
【００１７】
また、ユーザはこの携帯電話２００を自動改札機３００にかざして改札口を入退場することができる。更に、ＩＣチップ２１０は、ユーザが自動改札機３００を入退場する時、携帯電話２００のアプリケーションソフトを起動させ、情報を表示させることができる。このような鉄道用ＩＣチップを搭載した携帯電話機には「モバイルスイカ（登録商標）」がある。
【００１８】
このＩＣチップ２１０の構成は図２に示すものである。ＣＰＵ２１２（Ｃｅｎｔｒａｌ  Ｐｒｏｃｅｓｓｉｎｇ  Ｕｎｉｔ）はＩＣチップ２１０全体の制御を行う。ＲＦ（Ｒａｄｉｏ  Ｆｒｅｑｕｅｎｃｙ）回路２１１は図１に示す自動改札機３００との間で非接触によって無線交信を行う。
【００１９】
このため、例えば、携帯電話２００がバッテリ容量の低下や故障等の情況にあっても、独立して、通常の無電源方式の非接触式ＩＣカードと同様に機能することができる。また、ＩＣチップ２１０は、ユーザの予定に関する情報であるスケジュールデータ等の様に自身が直接管理しないものであって、携帯電話２００のＣＰＵ２３０が管理するデータが必要となる場合には、読み書き装置２２０を経由してこれを得る。
【００２０】
メモリ回路２１５は、ＣＰＵ２１２が使用する一時記憶領域であって読み書き可能なメモリであるＲＡＭ（Ｒａｎｄｏm  Ａｃｃｅｓｓ  Ｍｅｍｏｒｙ）２１３と、ＣＰＵ２１２で稼動するアプリケーションソフトなどを格納する読出し専用のメモリであるＲＯＭ（Ｒｅａｄ−Ｏｎｌｙ  Ｍｅｍｏｒｙ）２１４と、電車等の利用のためのチケットデータや、ユーザの購買履歴である履歴データ、あるいは、電車等の定期券の情報である定期券データを格納する読出し専用の不揮発性メモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）２１６を有する。
【００２１】
更に、図３は本実施の形態におけるシステムのソフトウェア構成を表している。ＩＣチップ２１０の通信制御部２４１は通信機能である。制御部２４２はＩＣチップ２１０の制御機能であり、詳細は後述する。データ管理部２４３は制御部２４２から指示を受けてＲＡＭ２１３、ＲＯＭ２１４、あるいは、ＥＥＰＲＯＭ２１６のアクセスを行う。表示処理部２４４は制御部２４２の指示を受け、図２の読み書き装置２２０を介して携帯電話２００の表示部にデータを表示させる。
【００２２】
コンピュータ１００において、制御部１２１はコンピュータ１００の制御機能であり、詳細は後述する。通信制御部１２２は携帯電話の公衆網を含むネットワークを経由してデータの送受信を行う通信機能である。時間計算部１２３は制御部１２１からデータを入力して携帯電話２００のユーザが電車に乗るまでの間の時間等に該当する余裕時間を計算する。ルート演算部１２４は制御部１２１の指示を受けて余裕時間内にユーザが受けることができるサービスに関する情報であるサービス一覧データを生成する。データ管理部１２５は記憶領域中のサービステーブルをアクセスする。このサービステーブルは携帯電話２００のユーザに提供するためのサービスに関する情報を“北口−食事−３０分”のように、サービスの提供場所と、サービス内容と、サービスを受けるために必要な時間とを格納する。
【００２３】
次に、図４を参照して本実施の形態における処理の流れを説明する。携帯電話２００のユーザは、携帯電話２００を使用して電車に乗るために予めチケットを購入し、駅の改札を通過しようとしている。即ち、ＩＣチップ２１０のＥＥＰＲＯＭ２１６にはチケットデータが格納されている状態である。このチケットデータにはユーザが乗る電車の出発時刻が含まれる。そして、ユーザは携帯電話２００を自動改札機３００に接触させる（図４のステップＳ０１）。
【００２４】
携帯電話２００において、ＩＣチップ２１０の制御部２４２はユーザが携帯電話２００を自動改札機３００に接触させてＩＣチップ２１０を起動させたことを検知し、ユーザがチケットを購入したか否かの確認を試みる。このため、制御部２４２はデータ管理部２４３を経由してＥＥＰＲＯＭ２１６にチケットデータが格納されているか否かをチェックする（図４のステップＳ０２）。ここではユーザが既にチケットを購入済みであるため、図４のステップＳ０２が“有”のケースである。また、図４のステップＳ０２が“無”のケースはユーザが定期券などで電車に乗るケースであるが、これについては後述する。
【００２５】
このように、制御部２４２は最初にユーザがチケットを購入したか否かをチェックする。即ち、ＩＣチップ２１０はチケットデータに対して最も高い優先順位を与えている。これは、新幹線の出発時刻などのチケットに関する情報の方が、ユーザ自身のスケジュール等よりも優先される可能性が高いためである。
【００２６】
次に、制御部２４２はデータ管理部２４３を経由してＥＥＰＲＯＭ２１６からチケットデータと、利用履歴とを読み出し、読み出したチケットデータと、利用履歴とを通信制御部２４１へ出力してコンピュータ１００への送信を指示する。通信制御部２４１は制御部２４２からチケットデータと、利用履歴とを入力し、入力したデータを携帯電話２００の通信機能を利用して携帯電話の公衆網を含むネットワーク経由でコンピュータ１００へ送信する。
【００２７】
コンピュータ１００の通信制御部１２２はネットワークを経由して携帯電話２００からチケットデータと、利用履歴とを受信し、受信したデータを制御部１２１へ出力する。
【００２８】
制御部１２１は通信制御部１２２からチケットデータと、利用履歴とを入力し、ユーザが電車に乗るまでの時間である余裕時間の計算を試みる。このために、制御部１２１は入力したチケットデータを時間計算部１２３へ出力して余裕時間の計算を要求する。
【００２９】
時間計算部１２３は制御部１２１からデータを入力し、入力したチケットデータに含まれる出発時刻から現在時刻を差し引いて余裕時間を得て（図４のステップＳ０３）、当該余裕時間を制御部１２１へ出力する。この計算は図５に示される方法１に該当する。即ち、予定時刻から現在時刻を減算してユーザの使用可能時間である余裕時間を計算する。
【００３０】
制御部１２１は時間計算部１２３から余裕時間を入力し、この余裕時間内でユーザが受けることができるサービスに関する情報であるサービス一覧データの取得を試みる。このため、制御部１２１は先ほど得た余裕時間と、先ほど入力した利用履歴とをルート演算部１２４へ出力し、サービス一覧データの作成を要求する。
【００３１】
ルート演算部１２４は制御部１２１からデータを入力し、データ管理部１２５経由で記憶部１１０中のサービステーブルをアクセスし、入力した余裕時間内に受けられるサービスに関するデータを選択して読み出し（図４のステップＳ０４）、サービス一覧データを生成する。このサービス一覧データには、例えば余裕時間が１５分であれば、図４に示す記憶部１１０のテーブル中の“南口−お茶−１０分”と、“改札内−本屋−５分”とが含まれる。
【００３２】
次に、ルート演算部１２４はサービス一覧データの中から余裕時間内に２個以上のサービスが受けられるケースをチェックし、この組み合わせの生成を試みる。例えば余裕時間内に“本屋”と、“お茶”との両方を提供可能な場合、“南口、改札内−お茶、本屋−１５分”を生成し、サービス一覧データに追加する（図４のステップＳ０５）。これにより、複数のサービスを受けるケースについてもユーザに提案することができる。
【００３３】
次に、ルート演算部１２４はサービス一覧データの中から先ほど入力した利用履歴に含まれないものを除外する。例えば利用履歴に“本屋”が無い場合、即ち、ユーザがほとんど本屋に立ち寄らない場合には、サービス一覧データの中から“本屋”に該当するデータを削除する。これにより、ユーザの嗜好に合わない情報はサービス一覧データから削除される（図４のステップＳ０６）。
【００３４】
次に、ルート演算部１２４は得られたサービス一覧データを制御部１２１へ出力する。制御部１２１はルート演算部１２４からデータを入力し、通信制御部１２２にネットワーク経由でサービス一覧データを携帯電話の公衆網を含むネットワークを介し携帯電話２００へ送信する。
【００３５】
携帯電話２００において、ＩＣチップ２１０の制御部２４２は通信制御部２４１を経由してコンピュータ１００からデータを受信する。そして、制御部２４２は受信したサービス一覧データを表示処理部２４４へ出力して携帯電話２００の表示部に表示させる。ユーザは携帯電話２００の表示を確認し、電車に乗るまでの間の余裕時間内に受けることのできるサービスを知る。
【００３６】
次に、図４のステップＳ０２が“無”のケースについて説明する。制御部２４２は読み書き装置２２０を経由して携帯電話２００にユーザのスケジュールデータが存在するか否かをチェックする（図４のステップＳ０７）。ユーザのスケジュールデータが存在する場合（図４のステップＳ０７が“有”）、制御部２４２は読み書き装置２２０を経由してスケジュールデータを読み出し、読み出したスケジュールデータを通信制御部２４１へ出力してコンピュータ１００への送信を指示する。通信制御部２４１は制御部２４２からスケジュールデータを入力し、入力したデータを携帯電話２００の通信機能を使用して携帯電話の公衆網を含むネットワークを介してコンピュータ１００へ送信する。
【００３７】
このように、制御部２４２はチケットの次にユーザのスケジュールをチェックする。即ち、ユーザのスケジュールについて二番目に高い優先順位を与えている。これは、新幹線の出発時刻などのチケットに関する情報の方が、ユーザ自身のスケジュール等よりも優先される可能性が高く、また、ユーザのスケジュールにあわせたサービス一覧を提示するためである。
【００３８】
コンピュータ１００の通信制御部１２２はネットワークを経由して携帯電話２００からスケジュールデータを受信し、受信したデータを制御部１２１へ出力する。
【００３９】
制御部１２１は通信制御部１２２からスケジュールデータを入力し、ユーザが電車に乗るまでの時間である余裕時間の計算を試みる。このために、制御部１２１は入力したスケジュールデータを時間計算部１２３へ出力して余裕時間の計算を要求する。
【００４０】
時間計算部１２３は制御部１２１からデータを入力し、入力したスケジュールデータに含まれる次の予定の開始時刻から現在時刻を差し引いて余裕時間を得て（図４のステップＳ０８）、当該余裕時間を制御部１２１へ出力する。以降の処理は前述の図４のステップＳ０４〜ステップＳ０６と同様である。
【００４１】
また、携帯電話２００にユーザのスケジュールデータが存在しない場合（図４のステップＳ０７が“無”）、制御部２４２はデータ管理部２４３を経由してＥＥＰＲＯＭ２１６に定期券データが存在するか否かをチェックする（図４のステップＳ０９）。ＥＥＰＲＯＭ２１６に定期券データが存在する場合、制御部２４２はデータ管理部２４３を経由してＥＥＰＲＯＭ２１６から定期券データと、履歴データとを読み出し、読み出した定期券データと、履歴データとを通信制御部２４１へ出力してコンピュータ１００への送信を指示する。通信制御部２４１は制御部２４２から定期券データと、履歴データとを入力し、入力したデータを携帯電話２００の通信機能を使用して携帯電話の公衆網を含むネットワークを介してコンピュータ１００へ送信する。
【００４２】
コンピュータ１００の通信制御部１２２はネットワークを経由して携帯電話２００から定期券データと、履歴データとを受信し、受信したデータを制御部１２１へ出力する。
【００４３】
制御部１２１は通信制御部１２２から定期券データと、履歴データとを入力し、ユーザが電車に乗るまでの時間である余裕時間の計算を試みる。このために、制御部１２１は入力した定期券データを時間計算部１２３へ出力して余裕時間の計算を要求する。この場合の余裕時間の計算方法は通勤や通学等のユーザの日常の行動に基づくものであり、図５の方法３に当たるものである。
【００４４】
時間計算部１２３は制御部１２１からデータを入力し、入力した定期券データに含まれる路線名に該当する路線の時刻表を記憶領域から読み出し、次の電車の発車時刻から現在時刻を差し引いて余裕時間を得て、当該余裕時間を制御部１２１へ出力する。以降の処理は前述の図４のステップＳ０４〜ステップＳ０６と同様である。
【００４５】
また、ＥＥＰＲＯＭ２１６に定期券データが存在しない場合、制御部２４２はユーザへの情報提供をスキップし、処理を終了する。
【００４６】
以上、図面を参照して本発明の実施の形態について詳述してきたが、具体的な構成はこの実施の形態に限られるものではなく、この発明の要旨を逸脱しない範囲の設計変更等も含まれる。例えば、本実施の形態は駅における実施に関して説明を行ったが、コンサート会場や映画館、あるいは、スポーツ観戦などに適用しても良い。コンサート会場に適用する場合には、開演時刻に基づいて余裕時間の計算を行えばよい。同じように、映画館であれば上映開始時刻を適用し、スポーツ観戦であれば競技開始時刻を適用すればよい。ユーザはコンサートや映画、あるいはスポーツ観戦の前に食事を取る場合等に、容易に店舗等に関する情報を得ることができるといった効果がある。
【００４７】
また、本実施の形態において、コンピュータ１００はサービス一覧データをネットワークを経由してユーザの携帯電話２００へ送信したが、これを携帯電話２００から要求しても良い。これは例えば、携帯電話２００がインターネットのアクセス機能を備えるブラウザ等のアプリケーションプログラムを稼動させ、当該アプリケーションプログラムがユーザの指示に基づいてコンピュータ１００からサービス一覧データを得ても良い。また、この場合には、コンピュータ１００がＷＥＢサーバ機能と、サービス一覧データを元にしたＨＴＭＬ（Ｈｙｐｅｒ  Ｔｅｘｔ  Ｍａｒｋｕｐ  Ｌａｎｇｕａｇｅ）データの生成機能とを備えても良い。
【００４８】
また、本実施の形態において、コンピュータ１００はサービス一覧データをネットワークを経由してユーザの携帯電話２００へ送信したが、これを電子メールによって行っても良い。ユーザが後でサービス一覧データを参照する場合等に有効である。
【００４９】
また、本実施の形態において、図４のステップＳ０２ではチケットデータと、現在時刻からユーザが電車に乗るまでの余裕時間を計算し、この余裕時間内に受けることができるサービス一覧を提示したが、これを電車の目的地への到着時刻に適用しても良い。即ち、図４のステップＳ０２で携帯電話２００はチケットデータから到着時刻を読み出し、ユーザのスケジュールデータから到着後の予定を読み出し、図５の方法２に示すようにこの到着時間と到着後の予定との差分を余裕時間とすればよい。同じように、コンサートに適用する場合には、余裕時間の計算には終演時刻を適用する。あるいは、映画館であれば上映終了時刻を適用し、スポーツ観戦であれば競技終了予定時刻を適用すればよい。ユーザはコンサートや映画、あるいはスポーツ観戦の後で食事を取る場合等、容易に店舗等に関する情報を得ることができるといった効果がある。
【００５０】
また、本実施の形態において、ユーザがコンピュータ１００の提供するサービス一覧データの中に気に入った店舗などを見つけた場合、携帯電話２００はユーザから当該店舗の指定を受けても良い。コンピュータ１００が記憶領域に地図情報を格納し、携帯電話２００からの指示を受けて当該店舗近隣の地図データを携帯電話２００へ送信しても良い。ユーザは容易に気に入った店舗等へたどり着けるため、有効である。また、携帯電話２００がナビゲーション機能を備えても良い。ユーザは迷うこと無く店舗等へ到着できる効果がある。
【００５１】
また、本実施の形態において、ユーザのスケジュールに関する情報であるスケジュールデータを携帯電話２００が格納しているものとしたが、これをユーザの自宅や職場のＰＣ等からネットワークを経由して得ても良い。また、本実施の形態における予定情報の個数は１個以上であれば良く、特に制限は無い。
【００５２】
また、本実施の形態において、ＩＣチップ２１０はＥＥＰＲＯＭ２１６を備えたが、これをフラッシュメモリ等で置き換えても良い。
【００５３】
また、本実施の形態においてはユーザが携帯電話２００を使用するケースに関して説明したが、ＩＣチップ２１０を搭載する端末装置であれば携帯電話の他にもＰＨＳ（Ｐｅｒｓｏｎａｌ  Ｈａｎｄｙｐｏｎｅ  Ｓｙｓｔｅｍ）や、ＰＤＡ（Ｐｅｒｓｏｎａｌ  Ｄｉｇｉｔａｌ  Ａｓｓｉｓｔａｎｔｓ）等であっても良い。
【００５４】
また、本実施の形態において、携帯電話２００のＣＰＵ２２０と、ＩＣチップ２１０のＣＰＵ２１２とが各々独立にＲＯＭやＲＡＭを備え、ＩＣチップ２１０のＣＰＵ２１２がチケット等に関する情報を管理し、携帯電話２００のＣＰＵ２２０がメールアドレスや電話番号、ユーザのスケジュール情報等を格納し、携帯電話２００のＣＰＵ２２０が、ＩＣチップ２１０のＣＰＵ２１２から必要に応じてデータを得ても良い。即ち、ユーザがチケットを購入する場合にはチケットデータがＩＣチップ２１０のＣＰＵ２１２が管理するＲＯＭやＲＡＭに格納されるが、携帯電話２００のＣＰＵ２２０がこのチケットデータを得て、自身の管理するスケジュール情報にフィードバックをかけても良い。
【図面の簡単な説明】
【００５５】
【図１】この発明の実施の形態におけるシステムの構成を示すブロック図である。
【図２】この発明の実施の形態におけるシステムの構成を示すブロック図である。
【図３】この発明の実施の形態におけるシステムの構成を示すブロック図である。
【図４】この発明の実施の形態における処理の流れを表す図である。
【図５】この発明の実施の形態における計算方法を表す図である。
【符号の説明】
【００５６】
１００…コンピュータ
１１０…記憶部
１２１…制御部
１２２…通信制御部
１２３…時間計算部
１２４…ルート演算部
１２５…データ管理部
２００…携帯電話
２１０…ＩＣチップ
２１１…ＲＦ回路
２１２…ＣＰＵ
２１３…ＲＡＭ
２１４…ＲＯＭ
２１５…メモリ回路
２１６…ＥＥＰＲＯＭ
２２０…読み書き装置
２３０…ＣＰＵ
２４１…通信制御部
２４２…制御部
２４３…データ管理部
２４４…表示処理部
３００…自動改札機
ＮＷ…ネットワーク
【図１】
2006092113.tif 000003
【図２】
2006092113.tif 000004
【図３】
2006092113.tif 000005
【図４】
2006092113.tif 000006
【図５】
2006092113.tif 000007